(57)【要約】      （修正有）【課題】不揮発性の表示部を有効に利用することが可能な電子機器等を提供する。【解決手段】プリンタ２０のＣＰＵ２５は、当該プリンタ２０がスリープ状態に移行すべき状態なのか、電源がオフされた状態なのか、上記通常状態に復帰（スリープ状態から通常状態への復帰、電源オフ後に電源オンによる通常状態への復帰）した状態なのか等、プリンタ２０の状態を判断し、この状態に応じた表示情報を操作部２１の電子ペーパーディスプレイに表示させる。【選択図】図１
2008149602.tif 000002
【特許請求の範囲】
【請求項１】
電子機器に備えられた不揮発性の表示部の表示制御方法であって、
複数種類の情報のなかから、前記電子機器の状態に応じた種類の情報を前記表示部に表示させるステップを含む表示制御方法。
【請求項２】
不揮発性の表示部と、
電子機器自体の状態を判断する第１判断部と、
複数種類の情報のなかから、前記第１判断部で判断された状態に応じた種類の情報を前記表示部に表示させる表示制御部と、を備える電子機器。
【請求項３】
請求項２に記載の電子機器において、
前記複数種類の情報には、電子機器の初期設定作業に関する情報が含まれる。
【請求項４】
請求項２また請求項３に記載の電子機器において、
内蔵時計を備え、
前記複数種類の情報には、前記内蔵時計の設定方法に関する情報が含まれる。
【請求項５】
請求項２から請求項４のいずれか一項に記載の電子機器において、
所定の条件を満たしたときに所定の動作を電子機器にさせる動作制御部を備え、
前記複数種類の情報には、前記所定の条件を満たす前において、前記所定の動作の予告に関する情報が含まれる。
【請求項６】
請求項２から請求項５のいずれか一項に記載の電子機器であって、
前記表示制御部は、外部電源からの電力供給の遮断に基づき前記情報を前記表示部に表示させる。
【請求項７】
請求項６に記載の電子機器であって、
内蔵時計と、
内蔵電池と、
前記内蔵電池が使用可能かどうかを判断する第２判断部とを備え、
前記表示制御部は、前記第２判断部で前記内蔵電池が使用可能と判断された場合には、外部電源からの電力供給の遮断時に前記内蔵電池に関する情報を前記表示部に表示させ、前記第２判断部で前記内蔵電池が使用不可と判断された場合には、前記外部電源からの電力供給の遮断時に前記内蔵時計の設定方法に関する情報を前記表示部に表示させる。
【請求項８】
請求項２から請求項７のいずれか一項に記載の電子機器であって、
前記表示部に表示された情報の消去の要否を判断する第３判断部を備え、
前記表示制御部は、前記第３判断部で消去が必要と判断された場合に、前記情報を消去する。
【請求項９】
請求項８に記載の電子機器であって、
前記表示部に表示された情報を消去するかどうかをユーザに確認させる確認部を備え、
前記第３判断部は、前記確認部での確認結果に基づき前記情報の消去の要否を判断する。
【請求項１０】
請求項２から請求項９のいずれか一項に記載の電子機器であって、
前記複数種類の情報から特定種類の情報を指定する指定部を備え、
前記表示制御部は、前記指定部で指定された情報を前記表示部の表示対象とする。
【請求項１１】
電子機器に備えられた不揮発性の表示部の表示方法であって、
初期設定作業に入る前に予め、前記電子機器に備えられた不揮発性の表示部に前記初期設定作業に関する情報を表示させるステップを含む表示方法。
【請求項１２】
不揮発性の表示部と、
初期設定作業に関する情報を前記表示部に表示する表示制御部と、を備える電子機器。
【請求項１３】
請求項２から請求項１０、請求項１２のいずれか一項に記載の電子機器であって、
前記電子機器は、被記録媒体に画像形成を行う印刷部と、自動保守動作を実行する保守部とを備えた画像形成装置であって、
前記複数種類の情報には、前記自動保守動作に関する情報が含まれる。
【発明の詳細な説明】
【技術分野】
【０００１】
本発明は、表示部を備える電子機器および、それに備えられた表示部の表示制御方法並びに表示方法に関する。
【背景技術】
【０００２】
特許文献１には、通常の操作部の他に、電子ペーパーを用いた補助操作部を有する画像形成装置が開示されている。具体的には、上記電子ペーパーにカウンタ情報、ジャム（紙詰まり）履歴や部品カウンタ情報を表示させるようになっている。これにより、例えば画像形成装置内の消耗品の交換を行うために当該画像形成装置の電源供給を停止させたときでも、電子ペーパーにて上記カウント情報等を確認することができる。
また、特許文献２には、画像形成装置の初期セットアップ作業を円滑に行うために、その作業手順・進捗等をコンピュータのディスプレイに表示させる技術が開示されている。
【特許文献１】特開２００６−２０１４６０公報
【特許文献２】特開２００６−２０１４８１公報
【発明の開示】
【発明が解決しようとする課題】
【０００３】
ところで、画像形成装置に関しユーザ等に伝えるべき情報は様々であり、当該画像形成装置の状況によっても異なる。ところが、上記特許文献１の技術では、電子ペーパーにカウンタ情報、ジャム（紙詰まり）履歴や部品カウンタ情報など、固定の種類の情報を常に表示する構成になっている。従って、画像形成装置における様々な状況に対する情報を柔軟に表示させることができなった。
【０００４】
一方、上記特許文献２の技術では、初期セットアップ作業に際し、画像形成装置のキットに同封されたマニュアルを見たり、初期セットアップ作業用プログラムをコンピュータにインストールしたりする必要があるなど、手間がかかる。このため、マニュアルを見たり、初期セットアップ作業用プログラムをインストールしたりせずに、不適切な作業を行ってしまうこともあり得る。
本発明は上記のような事情に基づいて完成されたものであって、その目的は不揮発性の表示部を有効に利用するところにある。
【課題を解決するための手段】
【０００５】
上記の目的を達成するための手段として、第１の発明に係る表示制御方法は、電子機器に備えられた不揮発性の表示部の表示制御方法であって、複数種類の情報のなかから、前記電子機器の状態に応じた種類の情報を前記表示部に表示させるステップを含む。
【０００６】
第２の発明に係る電子機器は、不揮発性の表示部と、電子機器自体の状態を判断する第１判断部と、複数種類の情報のなかから、前記第１判断部で判断された状態に応じた種類の情報を前記表示部に表示させる表示制御部と、を備える。
【０００７】
第３の発明は、第２の電子機器において、前記複数種類の情報には、電子機器の初期設定作業に関する情報が含まれる。
【０００８】
第４の発明は、第２また第３の電子機器において、内蔵時計を備え、前記複数種類の情報には、前記内蔵時計の設定方法に関する情報が含まれる。
【０００９】
第５の発明は、第２から第４のいずれか一つの電子機器において、所定の条件を満たしたときに所定の動作を電子機器にさせる動作制御部を備え、前記複数種類の情報には、前記所定の条件を満たす前において、前記所定の動作の予告に関する情報が含まれる。
【００１０】
第６の発明は、第２から第５のいずれか一つの電子機器であって、前記表示制御部は、外部電源からの電力供給の遮断に基づき前記情報を前記表示部に表示させる。
【００１１】
第７の発明は、第６の電子機器であって、内蔵時計と、内蔵電池と、前記内蔵電池が使用可能かどうかを判断する第２判断部とを備え、前記表示制御部は、前記第２判断部で前記内蔵電池が使用可能と判断された場合には、外部電源からの電力供給の遮断時に前記内蔵電池に関する情報を前記表示部に表示させ、前記第２判断部で前記内蔵電池が使用不可と判断された場合には、前記外部電源からの電力供給の遮断時に前記内蔵時計の設定方法に関する情報を前記表示部に表示させる。
【００１２】
第８の発明は、第２から第７のいずれか一つの電子機器であって、前記表示部に表示された情報の消去の要否を判断する第３判断部を備え、前記表示制御部は、前記第３判断部で消去が必要と判断された場合に、前記情報を消去する。
【００１３】
第９の発明は、第８の電子機器であって、前記表示部に表示された情報を消去するかどうかをユーザに確認させる確認部を備え、前記第３判断部は、前記確認部での確認結果に基づき前記情報の消去の要否を判断する。
【００１４】
第１０の発明は、第２から第９のいずれか一つの電子機器であって、前記複数種類の情報から特定種類の情報を指定する指定部を備え、前記表示制御部は、前記指定部で指定された情報を前記表示部の表示対象とする。
【００１５】
第１１の発明に係る表示方法は、電子機器に備えられた不揮発性の表示部の表示方法であって、初期設定作業に入る前に予め、前記電子機器に備えられた不揮発性の表示部に前記初期設定作業に関する情報を表示させるステップを含む。
【００１６】
第１２の発明に係る電子機器は、不揮発性の表示部と、初期設定作業に関する情報を前記表示部に表示する表示制御部と、を備える。
【００１７】
第１３の発明は、第２から第１０、第１２のいずれか一つの電子機器であって、前記電子機器は、被記録媒体に画像形成を行う印刷部と、自動保守動作を実行する保守部とを備えた画像形成装置であって、前記複数種類の情報には、前記自動保守動作に関する情報が含まれる。
【発明の効果】
【００１８】
＜第１，２の発明＞
本発明によれば、不揮発性の表示部に、電子機器の状態に応じた適切な種類の情報を表示することができる。
【００１９】
＜第３の発明＞
例えば初期設定作業に関する情報を予め表示部に表示させておけば、わざわざマニュアルなどを見なくても、電子機器に設けられた表示部の表示を見れば、その表示内容の範囲内で不適切な作業を抑制することができる。
【００２０】
＜第４の発明＞
例えば電子機器の電源オフ時には、それに伴って内蔵時計の時刻が狂うことがあり、その内蔵時計の設定方法に関する情報を表示部に表示させることが望ましい。これにより、電源オン時に表示部に表示された情報を基に内蔵時計の設定を行うことができる。
【００２１】
＜第５の発明＞
本発明によれば、所定の条件を満たす前に、所定の動作の予告に関する情報を表示部に表示させることで、ユーザにとって予期せぬタイミングで上記動作が実行されたとしてもユーザが戸惑うことを抑制できる。
【００２２】
＜第６の発明＞
本発明によれば、外部電源からの電力供給の遮断に基づき不揮発性の表示部に情報が表示されるから、電力供給遮断後に上記情報を表示部に表示させることができる。
【００２３】
＜第７の発明＞
電子機器には、内蔵電池が備えるものがある。この内蔵電池は、外部電源からの電力供給が遮断された時（外部電源オフ時）に内蔵時計を動作させるために使用される。そこで、本発明では、内蔵電池が使用可能な場合には、外部電源オフ時において内蔵電池に関する情報を表示部に表示させ、内蔵電池が使用不可な場合には、外部電源オフ時において内蔵時計の設定方法に関する情報を表示部に表示させる。これにより電子機器の各状態に応じて適切な種類の情報を表示部に表示させることができる。
【００２４】
＜第８の発明＞
表示部に表示された情報が不要となったときに当該情報を消去できるようにすることが好ましい。
【００２５】
＜第９の発明＞
表示部に表示された情報を消去するかどうかは、最終的にはユーザに決定させることが好ましい。
【００２６】
＜第１０の発明＞
表示部に表示させるべき情報の種類を指定することができる。
【００２７】
＜第１１，１２の発明＞
本発明によれば、わざわざマニュアルなどを見なくても、電子機器に設けられた表示部の表示を見れば、その表示内容の範囲内で不適切な作業を抑制することができる。
【００２８】
＜第１３の発明＞
画像形成装置では、自動保守動作がユーザの意図しないタイミングで行われることがあるため、上記自動保守動作に関する情報（例えば自動保守動作の内容、実行時期や実行条件など）を表示部に表示することが好ましい。
【発明を実施するための最良の形態】
【００２９】
次に本発明の一実施形態について図１から図１３を参照して説明する。
（全体構成）
図１は、画像形成システムの構成を示すブロック図である。この画像形成システムは、プリンタ２０（「電子機器、画像形成装置」の一例）と、このプリンタ２０にＬＡＮなどの通信回線３０を介して接続された情報処理装置（以下、「コンピュータ１０」という）とを備えて構成されている。
【００３０】
コンピュータ１０は、キーボードやマウスなどの外部からの入力操作を受け付ける操作部１１、液晶ディスプレイ等の表示部１２、ＲＯＭ１３、ＲＡＭ１４、ＣＰＵ１５、ハードディスク１６、通信回線３０に接続されるネットワークインターフェイス１７等を備えて構成されている。ハードディスク１６には、プリンタドライバやその他のアプリケーションソフト等が記憶されており、ＣＰＵ１５は、上記操作部１１からの実行指令に基づきプリンタドライバ等をハードディスク１６から読み出して実行する。
【００３１】
プリンタ２０は、各種のキー等からなる操作部２１、被記録媒体としての用紙への印刷を行う印刷部２２、ＲＯＭ２３、ＲＡＭ２４、ＣＰＵ２５、ＮＶＲＡＭ（不揮発性メモリ）２６、表示部２７、ネットワークインターフェイス２８、スキャナ部２９、ファクシミリ部４３等を備えて構成されている。ＣＰＵ２５は、ＲＯＭ２３に記憶されたプログラムに従って、その処理結果をＲＡＭ２４やＮＶＲＡＭ２６に記憶させながら各部の制御を行う。スキャナ部２９は、セットされた原稿に図示しない光源、例えばランプからの光を照射して、その原稿の画像を読み取り、その画像データを出力する。ネットワークインターフェイス２８は、通信回線３０に接続されており、プリンタ２０は、このネットワークインターフェイス２８を介して上記コンピュータ１０との間で印刷データや指令信号などのデータ通信を行う。
【００３２】
更に、プリンタ２０は、内部電源部４０と内蔵時計４１とを備える。内部電源部４０は、内蔵電池（バッテリー）４２を有し、プリンタ２０が外部電源（図示せず）から電力供給されている（以下、「電源オン」という）間、当該外部電源からの電力供給により上記内蔵電池４２への充電を行う。また、内部電源部４０は、例えば、内蔵電池４２に接続される１対の接続端子（図示せず）の間の電圧を監視する。
【００３３】
内蔵時計４１は、現在時刻を計時するものであり、プリンタ２０の電源オン時には外部電源からの電力供給を受けて動作し、外部電源からの電力供給が遮断された（以下、「電源オフ」という）時には、上記内蔵電池４２からの電力供給を受けて動作する。従って、仮に電源オフ時に内蔵電池４２の充電量が少なくなると、内蔵時計４１は十分な電力供給を受けられなくなり動作が停止するため、電源が再投入された後に現在時刻設定を再設定する必要が生じる。
【００３４】
（プリンタの操作部及び表示部の詳細）
図２はプリンタ２０の操作部２１を構成する操作パネル３１の外観図である。この操作パネル３１上には、液晶ディスプレイ３２と電子ペーパーディスプレイ３３とが並んで配置されている。このうち液晶ディスプレイ３２は、プリンタ２０が例えば印刷動作が即時可能な通常状態のときに各種の情報が表示される。この液晶ディスプレイ３２には、例えばプリンタ２０がスリープ状態の時や電源オフの時には電源が供給されない。そして、液晶ディスプレイ３２は、このように電源が供給されていない時には、表示内容が消去される、いわゆる揮発性の表示装置として構成されている。
【００３５】
これに対して、電子ペーパーディスプレイ３３（「不揮発性の表示部」の一例）は、不揮発性の表示装置である。そして、電子ペーパーディスプレイ３３は、後述するように、スリープ状態の時や電源オフの時のように電源が供給されていない状態でも、表示内容を保持させておくことができる、いわゆる不揮発性の表示装置として構成されている。ここで、電子ペーパーの方式はいくつかの方式が周知であるが、本実施形態では、例えばマイクロカプセルを使った電気永動方式を採用している。具体的には、電子ペーパーディスプレイ３３は、所定の電場が形成されることで、ディスプレイ媒体を構成する粒子（マイクロカプセル）を物理的に移動（泳動）させることにより表示動作を行っている。このため、電子ペーパーディスプレイ３３への電源供給を停止した場合であっても、移動（泳動）した粒子は一定期間その状態を保持できるため、結果として表示内容が一定期間保持される特質を有している。
【００３６】
なお、操作パネル３１には、上キー３４、下キー３５、左キー３６及び右キー３７と、セットキー３８と、メニューキー３９及びキャンセルキー４５と、数字キー４６とが配置されている。
【００３７】
（表示制御の内容）
プリンタ２０のＣＰＵ２５は、当該プリンタ２０がスリープ状態に移行すべき状態なのか、電源がオフされた状態なのか、上記通常状態に復帰（スリープ状態から通常状態への復帰、電源オフ後に電源オンによる通常状態への復帰）した状態なのか等、プリンタ２０の状態を判断し、この状態に応じた表示情報を電子ペーパーディスプレイ３３に表示させる。このとき、ＣＰＵ２５は、「第１判断部、表示制御部」の一例として機能する。以下、[スリープ移行時]、［電源オフ時］、[電源オン時]に分けて説明する。
【００３８】
[スリープモード移行時]
プリンタ２０は、所定時間の間、上記操作パネル３１のいずれのキー操作もされず、また、コンピュータ１０からの印刷データなどのデータ送信がないなど、所定の条件を満たしたときに、消費電力を低下させて必要最小限の機能だけを起動させる、いわゆるスリープ（電源オフに対してソフトスイッチオフともいう）状態に移行する。なお、このスリープ状態になると、上記液晶ディスプレイ３２や電子ペーパーディスプレイ３３への電力供給も停止される。
【００３９】
図３には、このスリープ状態に移行するときにＣＰＵ２５が実行するスリープモード処理の内容を示すフローチャートである。ＣＰＵ２５は、上記所定の条件を満たしたときに上記スリープ処理を実行し、その後に、プリンタ２０はスリープ状態になる。
【００４０】
まずＳ１でスリープ状態中に自動実行される処理があるかどうかを判断する。上記スリープ状態は、プリンタ２０に対して印刷処理の要求やスキャナ処理の要求がされていない状態である。従って、このスリープ状態中に、各種の自動保守動作（「所定の動作」の一例）が実行されるようになっている。この自動保守動作の例としては、印刷部２２に備えられたインクヘッドのクリーニング動作や、スキャナ部２９の上記ランプの点灯確認動作などが挙げられる。このとき、例えばＣＰＵ２５が「動作制御部、保守部」の一例として機能する。
【００４１】
そして、例えば上記自動保守動作が有効化されておりスリープ状態中に実行され得る場合には（Ｓ１：Ｙｅｓ）、Ｓ２では上記クリーニング動作のための処理や、ランプ点灯確認動作のための処理をリストアップする。ここで、図４には、上記コンピュータ１０の表示部１２に表示されたダイアログ・ボックス５０が示されている。このダイアログ・ボックス５０は、コンピュータ１０にインストールされた上記プリンタドライバに基づくＣＰＵ１５の表示制御によって表示される。このダイアログ・ボックス５０は、後述するスリープ状態や電源オフ時に電子ペーパーディスプレイ３３に表示させる表示内容を設定するためのものである。
【００４２】
具体的には、ダイアログ・ボックス５０上には、表示内容編集欄５１と、表示機能指定欄５２と、表示形式指定欄５３とが配置されている。表示機能指定欄５２には表示可能な機能名（種類名）が一覧表示されており、また、表示形式指定欄５３には表示可能な表示形式が一覧表示されており、各欄５２，５３において所望の項目を指定して追加ボタン５４を押下することでその指定された各項目の内容が、表示内容編集欄５１に反映される。なお、表示内容編集欄５１には、ユーザによる操作部１１での操作によってメッセージ等を直接入力することもできる。
【００４３】
そして、適用キー５５またはＯＫキー５６を押下することで、表示内容編集欄５１に最終的に反映された内容が表示項目として設定され、その設定情報がプリンタ２０側に送信される。ＣＰＵ２５は、コンピュータ１０から送信された上記設定情報を例えば上記ＮＶＲＡＭ２６に記憶する。
【００４４】
ＣＰＵ２５は、図３のＳ３でコンピュータ１０からの上記設定情報がＮＶＲＡＭ２６に記憶されているかどうかを判断し、設定情報が記憶されている場合には（Ｓ３：Ｙｅｓ）、Ｓ２でリストアップした処理の中に、上記設定情報で指定された処理が含まれているかどうかを判断する（Ｓ４）。リストアップした処理の中に記設定情報で指定された処理が含まれている場合には（Ｓ４：Ｙｅｓ）、そのリストアップされ且つ指定された処理に関する情報を表示対象として決定する（Ｓ５）。このとき、ＣＰＵ２５は「指定部」の一例として機能する。次に、Ｓ６で表示対象とされた処理の実行予定時刻を算出する。例えば上記クリーニング動作やランプの点灯確認動作は予め定められた時間間隔で周期的に実行されるように設定されている。従って、この時間間隔、現在の時刻及び前回の実行時刻から、次回の実行予定時刻を算出することができ、この実行予定時刻をＮＶＲＡＭ２６に記憶する。
【００４５】
ＣＰＵ２５は、Ｓ７で上記実行予定時刻、上記設定情報及ぶリストアップ情報等をＮＶＲＡＭ２６から読み出して、これらに基づき電子ペーパーディスプレイ３３に表示すべき表示画像データを作成し、この表示画像データに応じた表示情報をする（Ｓ８）。ここでは、例えば図５，図６に示す表示情報が電子ペーパーディスプレイ３３に表示される。図５には、スリープ状態から通常状態への復帰条件に関する情報、スリープ状態中に実行され得る自動保守動作の内容と実行予定時刻が表示されている。この図５の情報は、「予告に関する情報」の一例である。図６では、スリープモード移行時刻、上記ファクシミリ部４３での電話及びファックスの最終着信時刻、各色のインク残量が表示されている。この図６の表示内容は上記ダイアログ・ボックス５０でユーザによって指定されたものである。プリンタ２０は、Ｓ８の処理の終了後にスリープ状態になる。
【００４６】
Ｓ３で上記設定情報がＮＶＲＡＭ２６に記憶されていない場合には（Ｓ３：Ｎｏ）、Ｓ２でリストアップされた処理を全て表示対象とする（Ｓ９）。但し、上記ダイアログ・ボックス５０にて表示対象を予め限定しておいた方が、電子ペーパーディスプレイ３３の有限な表示領域を有効に活用することができる。
【００４７】
また、Ｓ１で例えば上記自動保守動作が無効化されておりスリープ状態中に実行される処理がない場合（Ｓ１：Ｎｏ）、或いは、Ｓ４でリストアップされた処理はあるものの設定情報で指定されていない場合（Ｓ４：Ｎｏ）には、Ｓ１０で予め容易されたデフォルトの表示情報を電子ペーパーディスプレイ３３に表示させるか、或いは、電子ペーパーディスプレイ３３を非表示とする。デフォルトの表示情報の例としては、例えば現在スリープ状態である旨のメッセージや、設定情報のみに含まれた機能に関する情報（例えば上記したスリープモード移行時刻、上記ファクシミリ部４３での電話及びファックスの最終着信時刻、各色のインク残量など）が挙げられる。
【００４８】
［電源オフ時］
図７には、電源オフ時の処理内容を示すフローチャートが示されている。プリンタ２０の図示しない電源スイッチがオフにされたり、停電になったりすると、プリンタ２０への電源供給が停止される（電源オフとなる）。この際、残された電力や内部電源部４０の電力を用いて、図７に示す処理が定期的に実行される。このときＣＰＵ２５は「第２判断部」の一例として機能する。具体的には、まずＳ２１で内部電源部４０での監視結果に基づき、内蔵電池４２がそもそも内部電源部４０に正常にセットされているかどうかを判断する。正常にセットされていれば（Ｓ２１：Ｙｅｓ）、次にＳ２２で内蔵電池４２が使用可能な程度の充電状態であるかどうかを判断し、使用可能な状態であると判断したときには（Ｓ２２：Ｙｅｓ）、Ｓ２３で図８に示す表示情報を生成し、Ｓ２４で電子ペーパーディスプレイ３３に表示させる。この図８には「内蔵電池に関する情報」の一例が示されている。具体的には、例えば次のことが表示されている。
【００４９】
（ａ）電源オフにより内蔵電池４２への充電がされていないこと
（ｂ）充電がされていないために充電量が低下していき内蔵時計４１が停止された後に電源オンされると内蔵時計４１の時刻設定がリセットされる場合があること
（ｃ）電池の交換方法
【００５０】
一方、内蔵電池４２が正常にセットされていない場合（Ｓ２１：Ｎｏ）、内蔵電池４２の充電量が所定値以下まで低下している場合（Ｓ２２：Ｎｏ）には、間もなく内蔵時計４１は停止する。このため、再度電源オンされたときに時刻を再設定する必要がある。このため、Ｓ２５で図９に示す表示情報（「内蔵時計の設定方法に関する情報」の一例）を生成し、Ｓ２４で電子ペーパーディスプレイ３３に表示させる。具体的には、メニューキー３９、上キー３４、下キー３５、左キー３６、右キー３７、セットキー３８、数字キー４６等を押下して時刻設定することが表示される。更に、メーカへの連絡時に必要となるプリンタ２０の識別番号（例えばシリアルナンバー）も表示される。
【００５１】
例えば内蔵電池４２の充電量が少なく、プリンタ２０が電源オンされて時刻設定をした後、間もなく再び電源オフされたときには、内蔵電池４２に十分な充電がされず、時刻設定が再び必要となる。確かに、内蔵電池４２を十分な充電量のものに交換することを優先させることも考えられるが、通常、その交換の準備をしているユーザはそれほど多くないと考えられる。そこで、本実施形態では、通常、内蔵電池４２の交換よりも内蔵時計４１の時刻設定を優先して行わせるようにしている。
【００５２】
[電源オン時]
図１０には、電源オン時の処理内容を示すフローチャートが示されている。上記スリープモード処理（図３）や電源オフ時の処理（図７）によって電子ペーパーディスプレイ３３に各種の表示情報が表示され、その後、プリンタ２０が上記スリープ状態、或いは電源オフの状態から通常状態に復帰したとき、ＣＰＵ２５が判断したときには「第３判断部」の一例として機能する。
【００５３】
例えば、プリンタ２０が、電子ペーパーディスプレイ３３と同じ位置に液晶ディスプレイ３２とは別の液晶ディスプレイ（図示せず）が上下方向に重ねて配置され、当該別の液晶ディスプレイと電子ペーパーディスプレイ３３とを選択的に切り換えて使用する設定がされている場合は、Ｓ３１で"Ｙｅｓ"となり、Ｓ３２に進む。このＳ３２では、電子ペーパーディスプレイ３３に表示されていた表示情報をデータとして例えばＮＶＲＡＭ２６に記憶し、電子ペーパーディスプレイ３３の前面に配置された上記別の液晶ディスプレイを起動させて、ＮＶＲＡＭ２６に記憶した上記データに基づき電子ペーパーディスプレイ３３に表示されていた上記表示情報と略同じ内容の表示情報を上記別の液晶ディスプレイに表示させる（Ｓ３３）。また、その別の液晶ディスプレイに表示された表示情報を消去するための方法も表示される。
【００５４】
図１１には、このときに上記別の液晶ディスプレイに表示すべき表示情報の一例が示されている。同図では、通常状態の復帰前に電子ペーパーディスプレイ３３に表示されていた表示情報は内蔵電池に関する情報であり、それとほぼ同じ情報が表示されている。また、その下にその表示情報を消去する方法として、電池の交換、また、キャンセルキー４５の押下することが表示されている。
【００５５】
一方、プリンタ２０が例えば上記別の液晶ディスプレイを備えていない、或いは、備えているが当該別の液晶ディスプレイを使用しない設定がされている場合（Ｓ３１：Ｎｏ）には、Ｓ３４で、例えば図８や図９に示した表示情報を電子ペーパーディスプレイ３３にそのまま表示させておく。それとともに、図１２に示すように、電子ペーパーディスプレイ３３に表示されている上記表示情報を消去する方法に関する情報、及び、現在の設定時刻（同図でリセット時の時刻）を液晶ディスプレイ３２に表示する。
【００５６】
この表示のうち、特に"[キャンセルキー]の押下で、この表示は消去されます。"という表示は、電子ペーパーディスプレイ３３における表示情報の消去の要否についてユーザの意思を確認していることを意味する。従って、このとき、表示部２７及びキャンセルキー４５は「確認部」の一例として機能する。その後、ＣＰＵ２５は、ユーザが表示情報の消去の意思表示としてキャンセルキー４５が押下されたかどうかを判断し、押下されたと判断したときに、電子ペーパーディスプレイ３３に表示された表示情報を消去する。このとき、ＣＰＵ２５は「第３判断部」の一例として機能する。
【００５７】
更に、本実施形態では、例えばプリンタ２０を購入して、まだ初期設定作業をする前において、電子ペーパーディスプレイ３３には図１３に示す表示情報が表示されている。この表示情報は「初期設定作業に関する情報」の一例である。図１３に示すように、初期設定作業前に、プリンタ２０とコンピュータ１０とをＵＳＢケーブルで接続した状態で電源オンすると、プリンタドライバのインストール時に不具合が発生し得る。従って、プリンタ２０を購入後、キットから出したときに図１３に示す表示情報が電子ペーパーディスプレイ３３に表示されていれば、初期設定作業前にプリンタ２０の電源がオンされることを未然に防止できる。しかも、マニュアルなどを見ずに初期設定作業を進めることができる。なお、例えば、一度初期設定作業が行われた後に、プリンタ２０の設定条件等を初期化したときにも、ＣＰＵ２５はこの初期化状態を判断して、図１３に示す情報を電子ペーパーディスプレイ３３に表示させる。
【００５８】
（本実施形態の効果）
本実施形態によれば、初期設定作業前の状態、スリープ状態、電源オンオフ状態など、プリンタ２０の各状態に応じて適切な表示情報（図５，図６，図８，図９，図１１〜図１３参照）を電子ペーパーディスプレイ３３に表示することができる。
【００５９】
また、電源オフ時に、電子ペーパーディスプレイ３３に内蔵時計４１の設定方法に関する表示情報（図９参照）が表示される。従って、この表示情報を見れば、例えばマニュアルなどを見ることなく、電源オン時に内蔵時計４１の時刻設定を簡単に行うことができる。
【００６０】
更に、所定の条件を満たしたときに行われる所定の動作（自動保守動作）に関する予告の表示情報（図５参照）が、上記所定の条件を満たす前（例えば電源オフ時）に、電子ペーパーディスプレイ３３に表示される。従って、ユーザにとって予期せぬタイミングで上記動作が実行されたとしてもユーザが戸惑うことを抑制できる。
また、電子ペーパーディスプレイ３３に表示された表示情報は、ユーザの意思に基づき消去できる。
【００６１】
＜他の実施形態＞
本発明は上記記述及び図面によって説明した実施形態に限定されるものではなく、例えば次のような実施形態も本発明の技術的範囲に含まれる。
（１）「画像形成装置」は、上記実施形態のインクジェットプリンタに限らず、レーザプリンタであってもよい。
【００６２】
（２）「電子機器」は、上記実施形態の画像形成装置（インクジェットプリンタ）に限らず、表示画面を有する電子機器であれば、例えば、飲料供給装置であってもよい。飲料供給装置には、注出機構の清掃運転等、メンテナンス関係の運転を、夜間などユーザの予期せぬタイミングに実行するものがあり、そのメンテナンス関係の情報を不揮発性の表示部に表示させることが好ましい。
【００６３】
（３）「複数種類の情報のなかから、電子機器の状態に応じた種類の情報を表示部に表示させる」には、例えば、電子機器に備えられた操作部においてユーザの判断に基づく操作によって、電子機器の状態に応じた種類の情報を表示させることも含まれる。
【００６４】
（４）「第３判断部」には、ユーザの意思によるものに限らず、例えば、電子機器の機器本体の状態（例えば操作部での操作がされたことでスリープ状態から通常状態に復帰したことや、電源が再投入されたことなど）に基づき、表示部に表示された表示情報の表示が不要となったかどうかを自動で判断する構成が含まれる。例えば、通常状態に復帰後、所定時間経過後に上記表示情報を自動で消去する構成が考えられる。
【００６５】
（５）「指定部」には、特定種類の情報を、画像形成装置と通信可能に接続された端末装置からの指示信号に基づき特定する上記実施形態の構成の他、画像形成装置に設けられた操作部２１からの操作信号に基づき特定する構成も含まれる。
【００６６】
（６）例えば図１３に示すような初期設定情報に関する表示情報だけを有して、初期設定作業前に当該表示情報を電子ペーパーディスプレイ３３に表示させる構成であってもよい。
【００６７】
（７）プリンタ２０が、例えば液晶ディスプレイと電子ペーパーディスプレイが同じ位置配置され選択的に切り替え使用する構成の場合には、図３のＳ８、図７のＳ２４のときに、液晶ディスプレイをオフして電子ペーパーディスプレイをオンする切り替え処理が必要となる。
【００６８】
（８）上記実施形態では、内蔵電池４２が使用不可等のときに、内蔵電池４２の交換よりも内蔵時計４１の時刻設定を優先して行わせる構成としたが、例えば操作部２１での操作によって、内蔵時計４１の時刻設定よりも内蔵電池４２の交換を優先して行わせる構成に設定変更できるようにしてもよい。予め充電量が十分な交換用の内蔵電池が準備できている場合には有効である。
【００６９】
（９）「確認部」は、表示情報の消去の要否を音声案内し、これに対する操作部での操作に基づきユーザの意思を確認するものであってもよい。
【図面の簡単な説明】
【００７０】
【図１】本発明の一実施形態の画像読取システムの構成を示すブロック図
【図２】操作パネルの外観図
【図３】スリープモード処理の内容を示すフローチャート
【図４】ダイアログ・ボックスを示した簡略図
【図５】スリープ時の表示情報を示す模式図（その１）
【図６】スリープ時の表示情報を示す模式図（その２）
【図７】電源オフ時の処理内容を示すフローチャート
【図８】電源オフ時の表示情報を示す模式図（その１）
【図９】電源オフ時の表示情報を示す模式図（その２）
【図１０】電源オン時の処理内容を示すフローチャート
【図１１】電源オン時の表示情報を示す模式図（その１）
【図１２】電源オン時の表示情報を示す模式図（その２）
【図１３】初期設定作業前の表示情報を示す模式図
【符号の説明】
【００７１】
２０…プリンタ（電子機器、画像形成装置）
２２…印刷部
２５…ＣＰＵ（表示制御部、第１〜第３の判断部、指定部、動作制御部、保守部）
３３…電子ペーパーディスプレイ（不揮発性の表示部）
４１…内蔵時計
４２…内蔵電池
【図１】
2008149602.tif 000003
【図２】
2008149602.tif 000004
【図３】
2008149602.tif 000005
【図４】
2008149602.tif 000006
【図５】
2008149602.tif 000007
【図６】
2008149602.tif 000008
【図７】
2008149602.tif 000009
【図８】
2008149602.tif 000010
【図９】
2008149602.tif 000011
【図１０】
2008149602.tif 000012
【図１１】
2008149602.tif 000013
【図１２】
2008149602.tif 000014
【図１３】
2008149602.tif 000015